【手続補正書】
【提出日】平成27年7月27日(2015.7.27)
【手続補正１】
【補正対象書類名】特許請求の範囲
【補正対象項目名】全文
【補正方法】変更
【補正の内容】
【特許請求の範囲】
【請求項１】
半径方向ドレープ取着部であって、
透光性部分と、
医療手技のために構成される、穿孔と、
前記半径方向ドレープ取着部を患者ドレープに取着するための接着連結部と
を備える、半径方向ドレープ取着部。
【請求項２】
前記接着連結部は、前記透光性部分に取着され、
前記穿孔は、前記透光性部分に沿って配置される、
請求項１に記載の半径方向ドレープ取着部。
【請求項３】
前記透光性部分と前記接着連結部との間に配置される、不透明区画をさらに備え、
前記接着連結部は、前記不透明区画に取着され、
前記穿孔は、前記不透明区画に沿って配置される、
請求項１に記載の半径方向ドレープ取着部。
【請求項４】
前記透光性部分は、クリアポリエチレンから製造され、前記不透明区画は、スパンボンド／メルトブロー／スパンボンド材料から製造される、請求項３に記載の半径方向ドレープ取着部。
【請求項５】
前記穿孔を中心として配置される、支持要素をさらに備える、請求項１に記載の半径方向ドレープ取着部。
【請求項６】
前記支持要素は、流体不浸透性材料を含む、請求項５に記載の半径方向ドレープ取着部。
【請求項７】
前記支持要素は、吸収性材料を含む、請求項５に記載の半径方向ドレープ取着部。
【請求項８】
前記支持要素は、前記半径方向ドレープ取着部の所定の最小面積が、前記支持要素と前記穿孔との間に配置されるように配列される、請求項５に記載の半径方向ドレープ取着部。
【請求項９】
前記支持要素は、前記透光性部分の所定の最小面積が、前記支持要素と前記穿孔との間に配置されるように配列される、請求項５に記載の半径方向ドレープ取着部。
【請求項１０】
前記所定の最小面積は、患者の四肢が、前記半径方向ドレープ取着部の真下に配置され、前記半径方向ドレープ取着部の上方から可視であるように十分である、請求項９に記載の半径方向ドレープ取着部。
【請求項１１】
前記半径方向ドレープ取着部の縁から前記穿孔に延在する、工具を必要としない除去特徴をさらに備える、請求項１に記載の半径方向ドレープ取着部。
【請求項１２】
前記穿孔を中心として配置される、支持要素をさらに備え、前記工具を必要としない除去特徴は、前記支持要素を横断して延在する、請求項１１に記載の半径方向ドレープ取着部。
【請求項１３】
前記支持要素は、前記半径方向ドレープ取着部の所定の最小面積が、前記支持要素と前記穿孔との間に配置されるように配列され、さらに、前記工具を必要としない除去特徴は、前記所定の最小面積を横断して延在する、請求項１２に記載の半径方向ドレープ取着部。
【請求項１４】
前記工具を必要としない除去特徴の開始点を示すためのインジケータをさらに備える、請求項１１に記載の半径方向ドレープ取着部。
【請求項１５】
前記工具を必要としない除去特徴は、
ドレープ切れ目と、
前記ドレープ切れ目の長さに沿って位置付けられる、接着テープ細片と、
前記ドレープ切れ目の長さに沿って延在する、前記接着テープ細片上の切り込み線であって、部分的にのみ、前記接着テープ細片を通して延在し、前記ドレープ切れ目の２つの接している縁の分離のために、前記接着テープ細片の容易な引裂をもたらす、切り込み線と
を備える、請求項１１に記載の半径方向ドレープ取着部。
【請求項１６】
前記穿孔を覆って配置される、剥離可能被覆をさらに備える、請求項１に記載の半径方向ドレープ取着部。
【請求項１７】
前記半径方向ドレープ取着部と統合された止血帯をさらに備える、請求項１に記載の半径方向ドレープ取着部。
【請求項１８】
前記止血帯は、前記半径方向ドレープ取着部の患者側の外筒と、前記半径方向ドレープ取着部の非患者側からアクセス可能であるように、前記半径方向ドレープ取着部の非患者側から外向きに延在する端部との中に封入される、請求項１７に記載の半径方向ドレープ取着部。
【請求項１９】
前記止血帯は、連結器を備える、請求項１７に記載の半径方向ドレープ取着部。
【請求項２０】
前記連結器は、前記半径方向ドレープ取着部の患者側に配置される、請求項１９に記載の半径方向ドレープ取着部。
【請求項２１】
前記止血帯は、外筒内に配置され、
前記連結器は、前記外筒を二等分し、
前記連結器は、前記外筒の第１端部と前記外筒の第２の端部との間に配置される、
請求項２０に記載の半径方向ドレープ取着部。
【請求項２２】
前記連結器は、スナップ係止デバイスを備える、請求項２０に記載の半径方向ドレープ取着部。
【請求項２３】
前記穿孔を中心として、前記半径方向ドレープ取着部に沿って配置される、１つ以上のパウチをさらに備える、請求項１に記載の半径方向ドレープ取着部。
【請求項２４】
前記１つ以上のパウチは、長方形、三角形、Ｌ−形状、湾曲側面形状、またはそれらの組み合わせのうちの１つとして構成される、請求項２３に記載の半径方向ドレープ取着部。
【請求項２５】
前記１つ以上のパウチは、２つ以上のパウチを備え、
前記半径方向ドレープ取着部は、前記半径方向ドレープ取着部の縁から前記穿孔に延在する、工具を必要としない除去特徴を備え、
前記２つ以上のパウチの第１のものは、前記工具を必要としない除去特徴の第１の側に配置され、
前記２つ以上のパウチの第２のものは、前記工具を必要としない除去特徴の第２の側に配置される、
請求項２３に記載の半径方向ドレープ取着部。
【請求項２６】
前記半径方向ドレープ取着部の患者側上の穿孔の少なくともいくつかを中心として配置される、接着要素をさらに備える、請求項１に記載の半径方向ドレープ取着部。
【請求項２７】
医療用ドレープであって、
患者ドレープと、
半径方向ドレープ取着部であって、前記半径方向ドレープ取着部を前記患者ドレープに接着するために構成される接着連結部を有する、半径方向ドレープ取着部と
を備える、医療用ドレープ。
【請求項２８】
前記半径方向ドレープ取着部の少なくともいくつかは、透明である、請求項２７に記載の医療用ドレープ。
【請求項２９】
前記半径方向ドレープ取着部は、末梢部に挿入される中心カテーテルが、挿入され得る、少なくとも１つの開口を備える、請求項２８に記載の医療用ドレープ。
【請求項３０】
前記少なくとも１つの開口は、前記半径方向ドレープ取着部の少なくとも一部に沿って配置される、請求項２９に記載の医療用ドレープ。
【請求項３１】
前記半径方向ドレープ取着部の少なくとも他の一部は、不透明であり、前記少なくとも１つの開口は、前記半径方向ドレープ取着部の少なくとも他の一部に沿って配置される、請求項２９に記載の医療用ドレープ。
【請求項３２】
前記半径方向ドレープ取着部の縁から前記少なくとも１つの開口に延在する、工具を必要としない除去特徴をさらに備える、請求項２９に記載の医療用ドレープ。
【請求項３３】
前記半径方向ドレープ取着部と統合される止血帯をさらに備え、前記止血帯は、前記半径方向ドレープ取着部の患者側の外筒と、前記半径方向ドレープ取着部の非患者側から延在する端部との中に封入される、請求項２９に記載の医療用ドレープ。
【請求項３４】
前記接着連結部の接着側と反対の前記半径方向ドレープ取着部の側の半径方向ドレープ取着部に連結される、１つ以上のパウチをさらに備える、請求項２７に記載の医療用ドレープ。
【手続補正２】
【補正対象書類名】明細書
【補正対象項目名】０００４
【補正方法】変更
【補正の内容】
【０００４】
本明細書に説明される本発明の実施形態は、患者ドレープおよび半径方向ドレープ取着部を含む、医療用ドレープを伴う、モジュール式配列に構成される。患者ドレープは、一実施形態では、不透明であって、患者を覆った留置のために構成される。半径方向ドレープ取着部は、患者ドレープに取着させる、接着剤または他の連結部を具備する。半径方向ドレープ取着部は、患者ドレープに対して任意の半径方向整合において、患者ドレープの周縁を越えて延在するように、患者ドレープに取着されることができる。１つ以上の実施形態では、半径方向ドレープ取着部は、患者ドレープの真下から突出する患者の腕を被覆するように、患者ドレープに連結される。組み合わせられた患者ドレープ／半径方向ドレープ取着部は、したがって、医療用ドレープの患者側に滅菌場を完全に維持しながら、カテーテル挿入を可能にする。
本願明細書は、例えば、以下の項目も提供する。
（項目１）
半径方向ドレープ取着部であって、
透光性部分と、
医療手技のために構成される、穿孔と、
前記半径方向ドレープ取着部を患者ドレープに取着するための接着連結部と
を備える、半径方向ドレープ取着部。
（項目２）
前記接着連結部は、前記透光性部分に取着され、
前記穿孔は、前記透光性部分に沿って配置される、
項目１に記載の半径方向ドレープ取着部。
（項目３）
前記透光性部分と前記接着連結部との間に配置される、不透明区画をさらに備え、
前記接着連結部は、前記不透明区画に取着され、
前記穿孔は、前記不透明区画に沿って配置される、
項目１に記載の半径方向ドレープ取着部。
（項目４）
前記透光性部分は、クリアポリエチレンから製造され、前記不透明区画は、スパンボンド／メルトブロー／スパンボンド材料から製造される、項目３に記載の半径方向ドレープ取着部。
（項目５）
前記穿孔を中心として配置される、支持要素をさらに備える、項目１に記載の半径方向ドレープ取着部。
（項目６）
前記支持要素は、流体不浸透性材料を含む、項目５に記載の半径方向ドレープ取着部。
（項目７）
前記支持要素は、吸収性材料を含む、項目５に記載の半径方向ドレープ取着部。
（項目８）
前記支持要素は、前記半径方向ドレープ取着部の所定の最小面積が、前記支持要素と前記穿孔との間に配置されるように配列される、項目５に記載の半径方向ドレープ取着部。
（項目９）
前記支持要素は、前記透光性部分の所定の最小面積が、前記支持要素と前記穿孔との間に配置されるように配列される、項目５に記載の半径方向ドレープ取着部。
（項目１０）
前記所定の最小面積は、患者の四肢が、前記半径方向ドレープ取着部の真下に配置され、前記半径方向ドレープ取着部の上方から可視であるように十分である、項目９に記載の半径方向ドレープ取着部。
（項目１１）
前記半径方向ドレープ取着部の縁から前記穿孔に延在する、工具を必要としない除去特徴をさらに備える、項目１に記載の半径方向ドレープ取着部。
（項目１２）
前記穿孔を中心として配置される、支持要素をさらに備え、前記工具を必要としない除去特徴は、前記支持要素を横断して延在する、項目１１に記載の半径方向ドレープ取着部。
（項目１３）
前記支持要素は、前記半径方向ドレープ取着部の所定の最小面積が、前記支持要素と前記穿孔との間に配置されるように配列され、さらに、前記工具を必要としない除去特徴は、前記所定の最小面積を横断して延在する、項目１２に記載の半径方向ドレープ取着部。
（項目１４）
前記工具を必要としない除去特徴の開始点を示すためのインジケータをさらに備える、項目１１に記載の半径方向ドレープ取着部。
（項目１５）
前記工具を必要としない除去特徴は、
ドレープ切れ目と、
前記ドレープ切れ目の長さに沿って位置付けられる、接着テープ細片と、
前記ドレープ切れ目の長さに沿って延在する、前記接着テープ細片上の切り込み線であって、部分的にのみ、前記接着テープ細片を通して延在し、前記ドレープ切れ目の２つの接している縁の分離のために、前記接着テープ細片の容易な引裂をもたらす、切り込み線と
を備える、項目１１に記載の半径方向ドレープ取着部。
（項目１６）
前記穿孔を覆って配置される、剥離可能被覆をさらに備える、項目１に記載の半径方向ドレープ取着部。
（項目１７）
前記半径方向ドレープ取着部と統合された止血帯をさらに備える、項目１に記載の半径方向ドレープ取着部。
（項目１８）
前記止血帯は、前記半径方向ドレープ取着部の患者側の外筒と、前記半径方向ドレープ取着部の非患者側からアクセス可能であるように、前記半径方向ドレープ取着部の非患者側から外向きに延在する端部との中に封入される、項目１７に記載の半径方向ドレープ取着部。
（項目１９）
前記止血帯は、連結器を備える、項目１７に記載の半径方向ドレープ取着部。
（項目２０）
前記連結器は、前記半径方向ドレープ取着部の患者側に配置される、項目１９に記載の半径方向ドレープ取着部。
（項目２１）
前記止血帯は、外筒内に配置され、
前記連結器は、前記外筒を二等分し、
前記連結器は、前記外筒の第１端部と前記外筒の第２の端部との間に配置される、
項目２０に記載の半径方向ドレープ取着部。
（項目２２）
前記連結器は、スナップ係止デバイスを備える、項目２０に記載の半径方向ドレープ取着部。
（項目２３）
前記穿孔を中心として、前記半径方向ドレープ取着部に沿って配置される、１つ以上のパウチをさらに備える、項目１に記載の半径方向ドレープ取着部。
（項目２４）
前記１つ以上のパウチは、長方形、三角形、Ｌ−形状、湾曲側面形状、またはそれらの組み合わせのうちの１つとして構成される、項目２３に記載の半径方向ドレープ取着部。
（項目２５）
前記１つ以上のパウチは、２つ以上のパウチを備え、
前記半径方向ドレープ取着部は、前記半径方向ドレープ取着部の縁から前記穿孔に延在する、工具を必要としない除去特徴を備え、
前記２つ以上のパウチの第１のものは、前記工具を必要としない除去特徴の第１の側に配置され、
前記２つ以上のパウチの第２のものは、前記工具を必要としない除去特徴の第２の側に配置される、
項目２３に記載の半径方向ドレープ取着部。
（項目２６）
前記半径方向ドレープ取着部の患者側上の穿孔の少なくともいくつかを中心として配置される、接着要素をさらに備える、項目１に記載の半径方向ドレープ取着部。
（項目２７）
医療用ドレープであって、
患者ドレープと、
前記半径方向ドレープ取着部を前記患者ドレープに接着するために構成される接着連結部を有する、半径方向ドレープ取着部と
を備える、医療用ドレープ。
（項目２８）
前記半径方向ドレープ取着部の少なくともいくつかは、透明である、項目２７に記載の医療用ドレープ。
（項目２９）
前記半径方向ドレープ取着部は、末梢部に挿入される中心カテーテルが、挿入され得る、少なくとも１つの開口を備える、項目２８に記載の医療用ドレープ。
（項目３０）
前記少なくとも１つの開口は、前記半径方向ドレープ取着部の少なくとも一部に沿って配置される、項目２９に記載の医療用ドレープ。
（項目３１）
前記半径方向ドレープ取着部の少なくとも他の一部は、不透明であって、前記少なくとも１つの開口は、前記半径方向ドレープ取着部の少なくとも他の一部に沿って配置される、項目２９に記載の医療用ドレープ。
（項目３２）
前記半径方向ドレープ取着部の縁から前記少なくとも１つの開口に延在する、工具を必要としない除去特徴をさらに備える、項目２９に記載の医療用ドレープ。
（項目３３）
前記半径方向ドレープ取着部と統合される止血帯をさらに備え、前記止血帯は、前記半径方向ドレープ取着部の患者側の外筒と、前記半径方向ドレープ取着部の非患者側から延在する端部との中に封入される、項目２９に記載の医療用ドレープ。
（項目３４）
前記接着連結部の接着側と反対の前記半径方向ドレープ取着部の側の半径方向ドレープ取着部に連結される、１つ以上のパウチをさらに備える、項目２７に記載の医療用ドレープ。
（項目３５）
ドレープを使用する方法であって、
患者ドレープと、前記半径方向ドレープ取着部を前記患者ドレープに取着する接着連結部を有する、半径方向ドレープ取着部とを備える、医療用ドレープを取得するステップと、
前記患者ドレープを患者を横断して留置するステップと、
前記半径方向ドレープ取着部が、前記患者ドレープの周縁を越えて延在するように、前記接着連結部を前記患者ドレープに添着するステップと
を含む、方法。
（項目３６）
前記患者の挿入部位を覆って、前記半径方向ドレープ取着部の中心カテーテル挿入開口を留置するステップをさらに含む、項目３５に記載の方法。
（項目３７）
前記留置するステップは、前記剥離可能被覆を除去し、前記中心カテーテル挿入開口を中心として配置されるように接着剤を取着するステップを含む、項目３６に記載の方法。
（項目３８）
前記半径方向ドレープ取着部の患者側に沿って配置される外筒内に、前記患者の腕を留置するステップと、
前記半径方向ドレープ取着部の非患者側から延在する前記止血帯の端部にアクセスすることによって、前記外筒内に配置される止血帯を締結するステップと
をさらに含む、項目３５に記載の方法。
（項目３９）
前記腕を中心として、前記外筒を二等分する連結器を接続するステップをさらに含む、項目３８に記載の方法。
（項目４０）
前記半径方向ドレープ取着部の縁から前記中心カテーテル挿入開口に延在する、工具を必要としない除去特徴を開放するステップと、
前記医療用ドレープを前記患者から除去するステップと
をさらに含む、項目３６に記載の方法。